(57)【要約】【課題】受信信号から希望チャネルの信号を取り出す帯域制限フィルタの通過帯域幅を、受信状況に応じて適切に設定することによって、受信信号のＥＶＭを向上させる。【解決手段】受信装置１を、希望チャネル以外の隣接チャンネルの使用の有無を検出する隣接チャネル使用有無検出部１０と、隣接チャンネルが使用されていないとき、帯域制限フィルタ５の通過帯域幅を、隣接チャンネルが使用されているときと比べて広く設定する通過帯域幅設定部２０と、を備えて構成する。【選択図】図２
2008035413.tif 000002
【特許請求の範囲】
【請求項１】
受信信号に帯域制限を行うことにより前記受信信号から希望チャネルの信号を取り出す受信装置であって、
前記希望チャネル以外の隣接チャンネルの使用の有無を検出する隣接チャネル使用有無検出部と、
隣接チャンネルが使用されていないとき、前記帯域制限の通過帯域幅を、隣接チャンネルが使用されているときと比べて広く設定する通過帯域幅設定部と、
を備えることを特徴とする受信装置。
【請求項２】
前記隣接チャネル使用有無検出部は、
前記受信信号に含まれる希望チャネルの信号を通過させ、かつ前記希望チャネル以外の信号のうち少なくとも一部を反射する帯域制限フィルタと、
前記帯域制限フィルタで反射する信号成分の強度を検出する第１の信号強度検出部と、
前記帯域制限フィルタを通過する信号成分の強度を検出する第２の信号強度検出部と、
前記第１及び第２信号強度検出部の検出信号同士を比較して、前記隣接チャンネルの使用の有無を検出する比較器と、
を備えることを特徴とする請求項１に記載の受信装置。
【請求項３】
前記隣接チャネル使用有無検出部は、前記受信信号に含まれる前記隣接チャネルの信号の少なくとも一部を通過する帯域制限フィルタと、前記帯域制限フィルタを通過する信号成分の強度を検出する信号強度検出部と、を備え、
前記通過帯域幅設定部は、前記信号強度検出部で検出された信号強度が所定の閾値以下であるとき、前記通過帯域幅を、この信号強度が前記所定の閾値を超えるときと比べて広く設定する、
ことを特徴とする請求項１に記載の受信装置。
【請求項４】
前記受信装置は、ダイバーシチ受信のための複数のアンテナを備え、ダイバーシチ受信を行うか否かを切替でき、かつ非ダイバーシチ受信時には、前記複数のアンテナのうちのいずれかのアンテナの受信信号に前記帯域制限を行い前記希望チャネルの信号を取り出すように構成され、
前記隣接チャネル使用有無検出部は、
非ダイバーシチ受信時に、前記複数のアンテナのうち、前記いずれかのアンテナ以外の他のアンテナで受信した受信信号が入力される帯域制限フィルタと、
前記帯域制限フィルタを通過した、前記隣接チャネルの信号の少なくとも一部の信号強度を検出する信号強度検出部と、
を備え、
前記通過帯域幅設定部は、前記信号強度検出部で検出された信号強度が所定の閾値以下であるとき、前記通過帯域幅を、この信号強度が前記所定の閾値を超えるときと比べて広く設定する、
ことを特徴とする請求項１に記載の受信装置。
【請求項５】
受信信号に帯域制限を行うことにより前記受信信号から希望チャネルの信号を取り出す受信方法であって、
前記希望チャネル以外の隣接チャンネルが使用されているか否かを判定し、
前記隣接チャンネルが使用されていないとき、前記帯域制限の通過帯域幅を、前記隣接チャンネルが使用されているときと比べて広く設定する、
ことを特徴とする受信方法。
【発明の詳細な説明】
【技術分野】
【０００１】
本発明は無線通信システムで使用される受信装置及び受信方法に関する。さらに詳しくは、受信信号のエラーベクトル振幅（ＥＶＭ: Error Vector Magnitude）特性を向上させる技術に関する。
【背景技術】
【０００２】
図１は、従来の直交変調波受信装置の概略構成図である。受信装置１は、無線信号を受信するアンテナ２と、アンテナ２により受信した高周波の無線周波数信号を後段の復調器４で取り扱い可能な所定の搬送周波数信号に変換する周波数変換部３と、所定の搬送周波数信号に変換された受信信号を直交ベースバンド信号（ＩＱ信号）に変換する復調器４と、を備えて構成される。
変換された直交ベースバンド信号の中には、受信装置１が受信しようとする希望チャネルの信号の他に、隣接チャネルの信号も含まれている。この隣接チャネルの信号は後段の信号処理において妨害波となり、信号処理段のＳ／Ｎ(信号対妨害波比)を劣化させる要因となるため、妨害波は可能な限り除去することが望ましい。このため受信装置１は、妨害波を除去し希望チャネルの信号を取り出すためのローパスフィルタ（ＬＰＦ）５等の帯域制限フィルタを配置している。ローパスフィルタ５によって妨害波が除去された直交ベースバンド信号は、後段のベースバンド処理部６にて元信号に復調される。
【０００３】
なお、特開平０４−１７９３２０（下記特許文献１）では、希望チャネルと隣接チャネルの受信入力レベルの差を比較して干渉レベルを推定し、希望チャネルの送信電力を制御することにより、隣接チャネルからの干渉による通信品質の劣化の低減を図っている。
また、特開平５−２１８９４０（下記特許文献２）では、復調されたディジタル信号のビット誤り率測定部の出力に応じてローパスフィルタ部のカットオフ周波数を変化させ、無線伝送路で誤り発生時の通話雑音を軽減する。
【０００４】
【特許文献１】特開平４−１７９３２０号公報
【特許文献２】特開平５−２１８９４０号公報
【特許文献３】特開２００４−２７４４５３号公報
【発明の開示】
【発明が解決しようとする課題】
【０００５】
ＷＣＤＭＡに代表されるディジタル通信で主に使用されているＱＰＳＫ（Quadrature Phase Shift Keying）変調方式では、受信特性を評価する指標としてエラーベクトル振幅（ＥＶＭ）が使われている。
このエラーベクトル振幅は、隣接チャネル信号すなわち妨害波を除去するために設けられたローパスフィルタ５の帯域外減衰量の増大に伴って悪化する傾向がある。この原因はカットオフ周波数付近では郡遅延特性の変化量が大きいため、受信信号の位相回転量が大きくなり、エラーベクトル振幅に悪影響を及ぼすためである。
【０００６】
一方で、従来の受信装置１では、隣接チャネルからの影響を無くして信号対雑音比（Ｓ／Ｎ）は向上させるために、ローパスフィルタ５のカットオフ周波数を、帯域外信号を十分に減衰できるように決定する。そして最適なカットオフ周波数を一度設定するとそのカットオフ周波数がそのまま使用している。
このため受信状況によっては、妨害波が小さく帯域外信号減衰量を大きくする必要ない場合であっても、妨害波が大きい場合と同じカットオフ周波数が使用されてエラーベクトル振幅に悪影響を及ぼしていた。
【０００７】
上記問題点に鑑み、本発明は、受信信号から希望チャネルの信号を取り出す帯域制限フィルタの通過帯域幅を、受信状況に応じて適切に設定することによって、受信信号のＥＶＭを向上させることを目的とする。
【課題を解決するための手段】
【０００８】
上記目的を達成するために、本発明では、希望チャネル以外の隣接チャンネルが使用されているか否かを判定し、隣接チャンネルが使用されていない場合には、受信信号から希望チャネルの信号を取り出す帯域制限の通過帯域幅を、隣接チャンネルが使用されているときと比べて広く設定する。
【０００９】
本発明の第１形態によれば、受信信号に帯域制限を行うことにより受信信号から希望チャネルの信号を取り出す受信装置であって、希望チャネル以外の隣接チャンネルの使用の有無を検出する隣接チャネル使用有無検出部と、隣接チャンネルが使用されていないとき、帯域制限の通過帯域幅を、隣接チャンネルが使用されているときと比べて広く設定する通過帯域幅設定部と、を備える受信装置が提供される。
【００１０】
本発明の第２形態によれば、受信信号に帯域制限を行うことにより受信信号から希望チャネルの信号を取り出す受信方法であって、希望チャネル以外の隣接チャンネルが使用されているか否かを判定し、隣接チャンネルが使用されていないとき、帯域制限の通過帯域幅を、隣接チャンネルが使用されているときと比べて広く設定する、受信方法が提供される。
【００１１】
隣接チャンネルの使用の有無は、下記によって検出又は判定することができる。
例えば、受信信号に含まれる希望チャネルの信号を通過させるとともに希望チャネル以外の信号のうち少なくとも一部を反射するような帯域制限フィルタに受信信号を入力する。そして、この帯域制限フィルタで反射する第１の信号成分の強度と、帯域制限フィルタを通過する第２の信号成分の強度と、を検出し、これらの信号成分の強度を比較すれば、隣接チャンネルが使用されているか否かを検出又は判定することができる。
【００１２】
また、例えば受信信号に含まれる隣接チャネルの信号の少なくとも一部を、帯域制限フィルタによって取り出し、取り出された隣接チャネルの信号の少なくとも一部の信号強度が所定の閾値を超えるか否かを判定することによっても検出することができる。
【００１３】
さらに、受信装置がダイバーシチ受信を行うための複数のアンテナを有しているときには、ダイバーシチ受信を行わない場合にもこれら複数のアンテナで受信信号を受信し、複数のアンテナのうちいずれかのアンテナで受信した受信信号を帯域制限フィルタに入力して、この受信信号に含まれる隣接チャネルの信号の少なくとも一部を取り出した後、取り出された隣接チャネルの信号の少なくとも一部の信号強度を検出し、検出された信号強度が所定の閾値を超えるか否かを判定することによっても、隣接チャンネルの使用の有無を検出又は判定することができる。
【００１４】
このとき、隣接チャネルの信号が取り出される受信信号を受信した上記いずれかのアンテナとは別の、他のアンテナで受信した受信信号から希望チャネルの信号を取り出すこととしてよい。そして他のアンテナで受信した受信信号から希望チャネルを取り出す際にこの受信信号に施す帯域制限の通過帯域幅を、上記隣接チャネルの使用有無の判定結果に従って設定する。
このようにすれば、隣接チャネルの信号の取り出し元を、希望チャネルの信号を取り出す受信信号と分離できるため、隣接チャネルの信号の取り出しにより生じる受信信号の品質への影響を防止できる。
【発明の効果】
【００１５】
本発明によれば、受信信号内に隣接チャネル信号成分がなく受信信号に対する帯域外信号減衰量を大きくする必要がない状況において、帯域外信号減衰量を低減して受信信号のエラーベクトル振幅特性を大幅に向上する。
【発明を実施するための最良の形態】
【００１６】
以下、添付する図面を参照して本発明の実施例を説明する。図２は、本発明の第１実施例による直交変調波受信装置の概略構成図である。図２に示す直交変調波受信装置１（以下、単に「受信装置１」と記す）は、図１を参照して上述した受信装置と同様の構成を有しているため、同一又は類似の構成要素には同一の参照番号を付し、また同一の機能については説明を省略する。
受信装置１は、この受信装置１が備えるアンテナ（例えば図２の構成例ではアンテナ２）によって受信された受信信号に含まれる隣接チャネルの信号を検出して、隣接チャネルの使用の有無を検出する隣接チャネル使用有無検出部１０と、この検出結果に従ってローパスフィルタ５の通過帯域幅を設定する通過帯域幅設定部２０と、を備える。
【００１７】
隣接チャネル使用有無検出部１０によって隣接チャネルが使用されていることが検出されると、通過帯域幅設定部２０は、ローパスフィルタ５の通過帯域幅を従来の受信装置と同様の通過帯域幅に設定する。一方で隣接チャネルが使用されていないことが検出されると、通過帯域幅設定部２０は、ローパスフィルタ５の通過帯域幅を従来使用されていた通過帯域幅に比べて広い通過帯域幅に設定する。
【００１８】
図３は、本発明の実施例による通過帯域幅変更方法の第１例のフローチャートである。
ステップＳ１１において、受信装置１が備えるアンテナ（例えば図２の構成例ではアンテナ２）によって無線信号が受信されると、隣接チャネル使用有無検出部１０は、この受信信号に含まれる隣接チャネルの信号を検出することにより隣接チャネルの使用の有無を検出する。
ステップＳ１２において、隣接チャネル使用有無検出部１０又は隣接チャネル使用有無検出部１０の検出信号を受信した通過帯域幅設定部２０が、隣接チャネルが使用されているか否かを判定する。
【００１９】
ステップＳ１２において隣接チャネルが使用されていないと判定された場合には、通過帯域幅設定部２０は、ローパスフィルタ５の通過帯域幅を、従来の受信装置にて使用されていた通過帯域幅に比べて広い通過帯域幅に設定する。反対に隣接チャネルが使用されていると判定された場合には、通過帯域幅設定部２０は、ローパスフィルタ５の通過帯域幅を、従来とほぼ同様の通過帯域幅に設定する。
以下、第２実施例から第４実施例では、隣接チャネル使用有無検出部１０の具体的な構成を例示する。
【００２０】
図４は、本発明の第２実施例による直交変調波受信装置の概略構成図である。本構成例では、アンテナ２による受信信号は周波数変換部３によって所定の搬送周波数の信号に変換された後隣接チャネル使用有無検出部１０に入力される。
隣接チャネル使用有無検出部１０は、周波数変換された受信信号に含まれる希望チャネルの信号を通過させ、かつ希望チャネル以外の信号のうち少なくとも一部を反射する帯域制限フィルタ１２を備えている。このような帯域制限フィルタ１２として例えば、少なくとも希望チャネルの周波数帯域の信号を通過させる弾性表面波（ＳＡＷ: Surface Acoustic Wave）フィルタを利用することが可能である。
ここで帯域制限フィルタ１２の通過周波数帯域をあまり狭くすると、この帯域制限フィルタ１２によってＥＶＭが悪化するので、帯域制限フィルタ１２の通過周波数帯域幅は、予定される希望チャネルの周波数帯域に余裕を持たせた幅とする。
【００２１】
また隣接チャネル使用有無検出部１０は、帯域制限フィルタ１２にて反射した希望チャネル以外の信号のうち少なくとも一部を取り出すサーキュレータ１１と、帯域制限フィルタ１２を通過した希望チャネルの信号を、復調器４に受信される途中で分岐するカップラー１３と、サーキュレータ１１から取り出された信号の信号強度Ｉｒを検出する第１の信号強度検出部１４と、カップラー１３から取り出された信号の信号強度Ｉｔを検出する第２の信号強度検出部１５と、これらの信号強度Ｉｒ及びＩｔ同士を比較する比較部１６を備える。第１及び第２の信号強度検出部１４及び１５としては、例えば既知のＲＳＳＩ検波器を使用してよい。
【００２２】
もし隣接チャネルが使用されていればサーキュレータ１１により取り出された信号Ｉｒには隣接チャネル信号が含まれるために強度が強くなり、もし隣接チャネルが使用されていなければ信号Ｉｒの強度が弱くなる。したがって、比較部１６が、サーキュレータ１１により取り出された信号の信号強度Ｉｒと、カップラー１３から取り出された希望チャネルの信号の信号強度Ｉｔを比較することによって、隣接チャネルの使用の有無を検出することができる。
比較部１６が、例えば、両信号Ｉｒ、Ｉｔの差（Ｉｒ−Ｉｔ）を求めてこの差が所定の閾値Ｔよりも大きいとき隣接チャネルが使用されていると判定してよく、また両信号ＩｒとＩｔの非（Ｉｒ／Ｉｔ）を求めてこの差が所定の閾値よりも大きいとき隣接チャネルが使用されていると判定してよい。
比較部１６は、上記判定結果を示す信号を通過帯域幅設定部２０に出力し通過帯域幅設定部２０はこの判定結果に従ってローパスフィルタ５の通過帯域幅を設定する。
【００２３】
図５は、図３に示す通過帯域幅変更方法の隣接チャネルの使用有無検出ルーチンＳ１１の第１例のフローチャートである。
ステップＳ２１において、周波数変換部３で周波数変換された受信信号をＳＡＷフィルタのような帯域制限フィルタ１２に入力する。
ステップＳ２２において、帯域制限フィルタ１２にて反射した希望チャネル以外の信号のうち少なくとも一部をサーキュレータ１１で取り出し、取り出した信号の信号強度Ｉｒを第１の信号強度検出部１４で検出する。
ステップＳ２３において、帯域制限フィルタ１２と復調器４の間に設けたカップラー１３によって帯域制限フィルタ１２を通過した希望チャネルの信号を分岐させ、この分岐させた希望チャネルの信号の信号強度Ｉｔを第２の信号強度検出部１５で検出する。
【００２４】
ステップＳ２４において、比較部１６がこれら信号強度Ｉｒ及びＩｔを比較する。本例では、両信号Ｉｒ、Ｉｔの差（Ｉｒ−Ｉｔ）を求めてこの差が所定の閾値Ｔを超えるか否かを判定する。
その結果、比較部１６は、差（Ｉｒ−Ｉｔ）が所定の閾値Ｔを超える場合にはステップＳ２５において隣接チャネルが使用されていると判定し、差（Ｉｒ−Ｉｔ）が所定の閾値Ｔ以下であるときには隣接チャネルが使用されていないと判定する。
【００２５】
図６は、本発明の第３実施例による直交変調波受信装置の概略構成図である。本構成例では、周波数変換部３によって所定の搬送周波数の信号に変換された受信信号を、復調器４で直交ベースバンド信号（ＩＱ信号）に変換した後に、隣接チャネル使用有無検出部１０に入力する。
復調器４を通過した受信信号には、希望チャネルの信号よりも比較的高い周波数の信号成分として隣接チャネルの信号が現れる。そこで隣接チャネル使用有無検出部１０には、復調器４を通過した受信信号から、隣接チャネルの信号の少なくとも一部をフィルタリングするハイパスフィルタ１７を設ける。そして、このハイパスフィルタ１７を通過した信号の強度ＩｈをＲＳＳＩ検波器のような信号強度検出部１８で検出し、その検出結果を通過帯域幅設定部２０に出力する。
【００２６】
ここで、もし隣接チャネルが使用されていればハイパスフィルタ１７を通過する信号の強度Ｉｈが強くなり、反対に隣接チャネルが使用されていなければハイパスフィルタ１７を通過する信号の強度Ｉｈが弱くなる。したがって信号強度検出部１８の出力信号Ｉｈは隣接チャネルの使用有無を示す検出信号として使用することができる。
そして通過帯域幅設定部２０は、信号強度検出部１８の出力信号Ｉｈがある所定の閾値Ｔよりも大きいとき隣接チャネルが使用されていると判定して、ローパスフィルタ５の通過帯域幅を従来の受信装置と同様の通過帯域幅に設定する。
一方で出力信号Ｉｈがある所定の閾値Ｔ以下であるとき、通過帯域幅設定部２０は、隣接チャネルが使用されていないと判定し、ローパスフィルタ５の通過帯域幅を従来使用されていた通過帯域幅に比べて広い通過帯域幅に設定する。
【００２７】
図７は、図６の構成例に対応した隣接チャネルの使用有無検出ルーチンＳ１１のフローチャートである。
ステップＳ３１において、周波数変換部３で周波数変換された受信信号を復調器４で直交ベースバンド信号に復調する。そして直交ベースバンド信号の一部をローパスフィルタ５に、他を隣接チャネル使用有無検出部１０のハイパスフィルタ１７に入力する。ステップＳ３２において、ハイパスフィルタ１７を通過した隣接チャネルの信号の信号強度Ｉｈを、信号強度検出器１８で検出する。
【００２８】
ステップＳ３３において、通過地域幅設定部２０は、信号強度検出器１８で検出した隣接チャネルの信号の信号強度Ｉｈを所定の閾値Ｔと比較する。
ステップＳ３３の判定において信号強度Ｉｈが所定の閾値Ｔを超えると判定した場合には、ステップＳ３４において通過帯域幅設定部２０は隣接チャネルが使用されていると判定する。その結果図３に示すステップＳ１４においてローパスフィルタ５の通過帯域幅を従来の受信装置と同様の通過帯域幅に設定する。
一方でステップＳ３３の判定において出力信号Ｉｈがある所定の閾値Ｔ以下であると判定した場合には、ステップＳ３５において通過帯域幅設定部２０は隣接チャネルが使用されていないと判定する。その結果図３に示すステップＳ１３においてローパスフィルタ５の通過帯域幅を従来使用されていた通過帯域幅に比べて広い通過帯域幅に設定する。
【００２９】
図８は、本発明の第４実施例による直交変調波受信装置の概略構成図である。本構成例では、受信装置１は複数のアンテナの受信信号を復調した信号を合成して信号品質を高めるダイバーシチ受信機として構成される。このため受信装置１は、複数のアンテナ２及び５２とこれらのアンテナ２及び５２の受信装置を各々復調するための復調用経路を備える。第１のアンテナ２で受信された受信信号は、周波数変換器３、復調器４及びＬＰＦ５からなる第１の復調用経路を通ることによって直交ベースバンド信号に復調され、第２のアンテナ５２で受信された受信信号は、周波数変換器５３、復調器５４及びＬＰＦ５５からなる第２の復調用経路を通ることによって直交ベースバンド信号に復調される。
【００３０】
そして、各復調用経路によって復調された直交ベースバンド信号は、信号合成器６０によって合成される。このように複数アンテナで受信された受信信号を合成することによって、ベースバンド処理部６へ入力するベースバンド信号の信号強度を強めて受信品質が向上される。
なお図８は、２つのアンテナ２及び５２によってダイバーシチ受信を行う構成例を示したが、本発明の受信装置でダイバーシチ受信を行うために使用するアンテナや復調用回路の数は２個に限定されず３つ以上でもよい。
【００３１】
さらに、本構成例において受信装置１は、受信品質の良否に応じてダイバーシチ受信を行うか否かを切替可能に構成されている。すなわち受信装置１は、受信品質が低い場合には複数のアンテナ２及び５２で各々受信された受信信号を合成するダイバーシチ受信を行うのに対し、受信品質が高い場合にはこのような信号合成を行わず、複数のアンテナ２及び５２のいずれか１つで受信された受信信号から、元信号を復調する非ダイバーシチ受信を行う。
【００３２】
本構成例では非ダイバーシチ受信時には、複数の復調用経路のうち、アンテナ２に接続された第１の復調用経路によって復調された信号のみをベースバンド処理部６に入力し元信号に復調する。このため以下の説明では、第１の復調用経路を「主信号復調用経路」と記す。
一方、複数の復調用経路のうち主信号復調用経路以外の他の復調用経路は、ダイバーシチ受信の場合にのみベースバンド処理部６に入力されて元信号に復調される。このため以下の説明では、第１の復調用経路以外の経路を「ダイバーシチ信号復調用経路」と記す。図８の構成例ではアンテナ５２に接続された第２の復調用経路がダイバーシチ信号復調用経路に相当する。
【００３３】
受信装置１は、受信品質の良否に応じてダイバーシチ受信を行うか否かを切り替えるために、主信号復調用経路によって復調された直交ベースバンド信号の信号品質を測定する信号品質測定器６１を備える。
また受信装置１は、信号品質測定器６１による測定の結果、受信品質が所定の品質を満たさない場合に、ダイバーシチ信号復調用経路を通過するダイバーシチ信号を信号合成部６０に入力してダイバーシチ受信を実現する一方、受信品質が所定の品質を満たす場合には、信号合成部６０へのダイバーシチ信号の入力を阻止して非ダイバーシチ受信を実現する切替器ＳＷを有する。
図８の構成では、信号品質測定器６１の判定結果に応じて、切替器ＳＷが、ダイバーシチ信号復調用経路中の復調器５４とローパスフィルタ５５との間を接続及び切断することによって、ダイバーシチ受信と非ダイバーシチ受信とを切り替える。
【００３４】
非ダイバーシチ受信のとき、切替器ＳＷは、いずれかのダイバーシチ信号復調用経路の復調器５４の出力信号を、図６に示す隣接チャネル使用有無検出部と同様の構成の隣接チャネル使用有無検出部１０のフィルタハイパス１７に入力する。
このハイパスフィルタ１７を通過した信号の強度Ｉｈを信号強度検出部１８で検出し、その検出結果を通過帯域幅設定部２０に出力する。
通過帯域幅設定部２０は、図６を参照して上記説明した構成例と同様に、信号強度検出部１８による検出強度Ｉｈに基づき隣接チャネルの使用有無を判定し、主信号復調用経路のローパスフィルタ５の通過帯域幅を設定する。
【００３５】
図９は、図８の構成に対応した本発明の実施例による通過帯域幅変更方法の第２例のフローチャートである。
ステップＳ４１において、主信号復調用経路の周波数変換器３及び復調器４によってアンテナ２の受信信号を復調し、ダイバーシチ信号復調用経路の周波数変換器５３及び復調器５４によってアンテナ５２の受信信号を復調する。
【００３６】
ステップＳ４２において、信号品質測定器６１は主信号復調用経路のローパスフィルタ５を通過した直交ベースバンド信号の受信品質を測定する。
受信品質が所定の品質を満たさない場合には、ダイバーシチ信号復調用経路の復調器５４とローパスフィルタ５５とを切換器ＳＷで接続することによって、ダイバーシチ信号復調用経路によって復調されたアンテナ５２から信号を信号合成部６０に入力し、主信号復調用経路で復調された信号と合成することによってダイバーシチ受信を行い、ステップＳ４１に戻る。
【００３７】
ステップＳ４２による判定の結果、受信品質が所定の品質を満たす場合には、ステップＳ４３において信号品質測定部６１は、ダイバーシチ信号復調用経路の復調器５４とローパスフィルタ５５との間を切換器ＳＷで切断することによって非ダイバーシチ受信を行う。このとき切換器ＳＷはいずれかのダイバーシチ信号復調用経路の復調器５４の出力信号を、隣接チャネル使用有無判定部１０のハイパスフィルタ１７に入力する。
【００３８】
ステップＳ４４では、ハイパスフィルタ１７を通過した隣接チャネルの信号の信号強度Ｉｈを信号強度検出器１８で検出する。
ステップＳ４５において、通過地域幅設定部２０は、信号強度検出器１８で検出した隣接チャネルの信号の信号強度Ｉｈを所定の閾値Ｔと比較する。
ステップＳ４５の判定において信号強度Ｉｈが所定の閾値Ｔを超えると判定した場合には、ステップＳ４６において通過帯域幅設定部２０は隣接チャネルが使用されていると判定する。その結果通過帯域幅設定部２０は、その後のステップＳ４８及びＳ５０において、ローパスフィルタ５の通過帯域幅を従来使用されていた通過帯域幅と同様の通過帯域幅に設定する。
【００３９】
一方でステップＳ４５の判定において信号強度Ｉｈが所定の閾値Ｔ以内であると判定した場合には、ステップＳ４７において通過帯域幅設定部２０は隣接チャネルが使用されていないと判定する。その結果通過帯域幅設定部２０は、その後のステップＳ４８及びＳ４９において、ローパスフィルタ５の通過帯域幅を従来使用されていた通過帯域幅に比べて広い通過帯域幅に設定する。
【００４０】
以上、本発明を特にその好ましい実施の形態を参照して詳細に説明したが、本発明の容易な理解のために、本発明の具体的な形態を以下に付記する。
【００４１】
（付記１）
受信信号に帯域制限を行うことにより前記受信信号から希望チャネルの信号を取り出す受信装置であって、
前記希望チャネル以外の隣接チャンネルの使用の有無を検出する隣接チャネル使用有無検出部と、
隣接チャンネルが使用されていないとき、前記帯域制限の通過帯域幅を、隣接チャンネルが使用されているときと比べて広く設定する通過帯域幅設定部と、
を備えることを特徴とする受信装置。
【００４２】
（付記２）
前記隣接チャネル使用有無検出部は、
前記受信信号に含まれる希望チャネルの信号を通過させ、かつ前記希望チャネル以外の信号のうち少なくとも一部を反射する帯域制限フィルタと、
前記帯域制限フィルタで反射する信号成分の強度を検出する第１の信号強度検出部と、
前記帯域制限フィルタを通過する信号成分の強度を検出する第２の信号強度検出部と、
前記第１及び第２信号強度検出部の検出信号同士を比較して、前記隣接チャンネルの使用の有無を検出する比較器と、
を備えることを特徴とする付記１に記載の受信装置。
（付記３）
前記受信信号を無線周波数信号から所定搬送周波数の信号へと変換する周波数変換部を備え、
前記帯域制限フィルタは、前記所定搬送周波数の信号に変換された前記受信信号に含まれる希望チャネルの信号を通過させ、かつ前記希望チャネル以外の信号のうち少なくとも一部を反射する、
ことを特徴とする付記２に記載の受信装置。
【００４３】
（付記４）
前記隣接チャネル使用有無検出部は、前記受信信号に含まれる前記隣接チャネルの信号の少なくとも一部を通過する帯域制限フィルタと、前記帯域制限フィルタを通過する信号成分の強度を検出する信号強度検出部と、を備え、
前記通過帯域幅設定部は、前記信号強度検出部で検出された信号強度が所定の閾値以下であるとき、前記通過帯域幅を、この信号強度が前記所定の閾値を超えるときと比べて広く設定する、
ことを特徴とする付記１に記載の受信装置。
【００４４】
（付記５）
前記受信装置は、前記受信信号を復調する復調器を備え、
前記希望チャネルの信号は、ローパスフィルタで前記復調器による復調後の前記受信信号を帯域制限することによって前記受信信号から取り出され、
前記帯域制限フィルタは、前記復調後の前記受信信号をフィルタリングするハイパスフィルタであることを特徴とする付記４に記載の受信装置。
【００４５】
（付記６）
前記受信装置は、ダイバーシチ受信のための複数のアンテナを備え、ダイバーシチ受信を行うか否かを切替でき、かつ非ダイバーシチ受信時には、前記複数のアンテナのうちのいずれかのアンテナの受信信号に前記帯域制限を行い前記希望チャネルの信号を取り出すように構成され、
前記隣接チャネル使用有無検出部は、
非ダイバーシチ受信時に、前記複数のアンテナのうち、前記いずれかのアンテナ以外の他のアンテナで受信した受信信号が入力される帯域制限フィルタと、
前記帯域制限フィルタを通過した、前記隣接チャネルの信号の少なくとも一部の信号強度を検出する信号強度検出部と、
を備え、
前記通過帯域幅設定部は、前記信号強度検出部で検出された信号強度が所定の閾値以下であるとき、前記通過帯域幅を、この信号強度が前記所定の閾値を超えるときと比べて広く設定する、
ことを特徴とする付記１に記載の受信装置。
【００４６】
（付記７）
前記受信装置は、前記複数のアンテナの各前記受信信号を復調する復調器を備え、
前記希望チャネルの信号は、前記いずれかのアンテナの受信信号を前記復調器で復調した信号をローパスフィルタで帯域制限することによって取り出され、
前記帯域制限フィルタは、前記他のアンテナの受信信号を前記復調器で復調した信号をフィルタリングするハイパスフィルタであることを特徴とする付記６に記載の受信装置。
【００４７】
（付記８）
受信信号に帯域制限を行うことにより前記受信信号から希望チャネルの信号を取り出す受信方法であって、
前記希望チャネル以外の隣接チャンネルが使用されているか否かを判定し、
前記隣接チャンネルが使用されていないとき、前記帯域制限の通過帯域幅を、前記隣接チャンネルが使用されているときと比べて広く設定する、
ことを特徴とする受信方法。
（付記９）
前記受信信号に含まれる希望チャネルの信号を通過させ、かつ前記希望チャネル以外の信号のうち少なくとも一部を反射する帯域制限フィルタに、前記受信信号を入力し、
前記帯域制限フィルタで反射する第１の信号成分の強度を検出し、
前記帯域制限フィルタを通過する第２の信号成分の強度を検出し、
前記第１及び第２の信号成分の強度を比較することによって、前記隣接チャンネルが使用されているか否かを判定する、
ことを特徴とする付記８に記載の受信方法。
（付記１０）
前記受信信号を無線周波数信号から所定搬送周波数の信号へと変換し、
前記帯域制限フィルタに、前記所定搬送周波数の信号に変換された前記受信信号を入力する、
ことを特徴とする付記１０に記載の受信方法。
【００４８】
（付記１１）
前記受信信号に含まれる前記隣接チャネルの信号の少なくとも一部を、帯域制限フィルタによって取り出し、
取り出された前記隣接チャネルの信号の少なくとも一部の、信号強度を検出し、
検出された前記信号強度が所定の閾値を超えるとき、前記隣接チャンネルが使用されていると判定する、
ことを特徴とする付記８に記載の受信方法。
【００４９】
（付記１２）
前記受信信号を復調し、
復調された前記受信信号をローパスフィルタで帯域制限することによって前記希望チャネルの信号を取り出し、
復調された前記受信信号を前記帯域制限フィルタとしてのハイパスフィルタでフィルタリングすることにより、前記隣接チャネルの信号の少なくとも一部を取り出す、
ことを特徴とする付記１１に記載の受信方法。
【００５０】
（付記１３）
ダイバーシチ受信のための複数のアンテナで前記受信信号を受信し、
前記複数のアンテナの受信信号を用いてダイバーシチ受信を行わない場合に、
（ａ）前記複数のアンテナのうち前記いずれかのアンテナで受信した受信信号を帯域制限フィルタに入力して、この受信信号に含まれる前記隣接チャネルの信号の少なくとも一部を取り出し、
（ｂ）取り出された前記隣接チャネルの信号の少なくとも一部の、信号強度を検出し、検出された前記信号強度が所定の閾値を超えるとき、前記隣接チャンネルが使用されていると判定し、
（ｃ）この判定結果に従って設定された前記通過帯域幅で前記帯域制限を行い、前記複数のアンテナのうちの、前記いずれかのアンテナ以外の他のアンテナの受信信号から前記希望チャネルの信号を取り出す、
ことを特徴とする付記８に記載の受信方法。
【００５１】
（付記１４）
前記他のアンテナの受信信号を復調した後に、ローパスフィルタで帯域制限することによって前記希望チャネルの信号を取り出し、
前記いずれかのアンテナの受信信号を復調した信号を前記帯域制限フィルタとしてのハイパスフィルタでフィルタリングすることにより、前記隣接チャネルの信号の少なくとも一部を取り出す、
ことを特徴とする付記１３に記載の受信方法。
【産業上の利用可能性】
【００５２】
本発明は、無線通信システムで使用される受信装置及び受信方法に利用可能であり、特に受信信号から希望チャネルを取り出す帯域制限フィルタのカットオフ周波数の制御に好適に利用可能である。
【図面の簡単な説明】
【００５３】
【図１】従来の直交変調波受信装置の概略構成図である。
【図２】本発明の第１実施例による直交変調波受信装置の概略構成図である。
【図３】本発明の実施例による通過帯域幅変更方法の第１例のフローチャートである。
【図４】本発明の第２実施例による直交変調波受信装置の概略構成図である。
【図５】図３に示す通過帯域幅変更方法の隣接チャネルの使用有無検出ルーチンの第１例のフローチャートである。
【図６】本発明の第３実施例による直交変調波受信装置の概略構成図である。
【図７】図３に示す通過帯域幅変更方法の隣接チャネルの使用有無検出ルーチンの第２例のフローチャートである。
【図８】本発明の第４実施例による直交変調波受信装置の概略構成図である。
【図９】本発明の実施例による通過帯域幅変更方法の第２例のフローチャートである。
【符号の説明】
【００５４】
１    直交変調波受信装置
２    アンテナ
３    周波数変換部
４    変調器
５    ローパスフィルタ
６    ベースバンド処理部
１０    隣接チャネル使用有無検出部
２０    通過帯域幅設定部
【図１】
2008035413.tif 000003
【図２】
2008035413.tif 000004
【図３】
2008035413.tif 000005
【図４】
2008035413.tif 000006
【図５】
2008035413.tif 000007
【図６】
2008035413.tif 000008
【図７】
2008035413.tif 000009
【図８】
2008035413.tif 000010
【図９】
2008035413.tif 000011